(57)【要約】【課題】セミリジットの基板からの浮きを抑え、位置ずれを無くすることができるセミリジットの基板への固定構造、ローノイズ・ブロックダウン・コンバータおよびアンテナ装置を提供する。【解決手段】基板１１のグランドパターンに対し、セミリジット１３のグランド１３ｂ両端が半田付けされ、セミリジット１３中央部が基板との間で挟まれるように銅箔２２，電波吸収体２３またはガスケット２４が貼り付けられている。【選択図】図１
2009093867.tif 000002
【特許請求の範囲】
【請求項１】
表面にグランドパターンが形成された基板と、
棒状のグランドを有し、前記グランドパターンに前記グランド両端が半田付けされたセミリジッドと、
前記セミリジット中央部が前記基板との間で挟まれるように貼り付けられた銅箔とを備えた、セミリジットの基板への固定構造。
【請求項２】
表面にグランドパターンが形成された基板と、
棒状のグランドを有し、前記グランドパターンに前記グランド両端が半田付けされたセミリジッドと、
前記セミリジット中央部が前記基板との間で挟まれるように貼り付けられた電波吸収体とを備えた、セミリジットの基板への固定構造。
【請求項３】
表面にグランドパターンが形成された基板と、
棒状のグランドを有し、前記グランドパターンに前記グランド両端が半田付けされたセミリジッドと、
前記セミリジット中央部において、前記基板と前記セミリジットとの間に挟まれて接着されたガスケットとを備えた、セミリジットの基板への固定構造。
【請求項４】
表面にグランドパターンが形成された基板と、
棒状のグランドを有し、前記グランドパターンに前記グランド両端が半田付けされたセミリジッドと、
前記セミリジッドが配置される凹所を有するシャーシとを備え、
前記凹所の底と前記基板との間で前記セミリジットを挟む状態で、前記基板が前記シャーシに固定された、セミリジットの基板への固定構造。
【請求項５】
表面にグランドパターンが形成された基板と、
棒状のグランドを有し、前記グランドパターンに前記グランド両端が半田付けされたセミリジッドと、
前記セミリジッドが配置される凹所を有するシャーシとを備え、
前記凹所の底に貼り付けられたガスケットと前記基板との間で前記セミリジットを挟む状態で、前記基板が前記シャーシに固定された、セミリジットの基板への固定構造。
【請求項６】
表面にグランドパターンが形成された基板と、
棒状のグランドを有し、前記グランドパターンに前記グランド両端が半田付けされたセミリジッドと、
前記セミリジッドが配置される凹所を有するシャーシとを備え、
前記凹所の底に貼り付けられた電波吸収体と前記基板との間で前記セミリジットを挟む状態で、前記基板が前記シャーシに固定された、セミリジットの基板への固定構造。
【請求項７】
表面にグランドパターンが形成された基板と、
棒状のグランドを有し、前記グランドパターンに前記グランド両端が半田付けされたセミリジッドと、
前記セミリジッドが配置される凹所を有するシャーシとを備え、
前記凹所の底に固定された板バネと前記基板との間で前記セミリジットを挟む状態で、前記基板が前記シャーシに固定された、セミリジットの基板への固定構造。
【請求項８】
請求項１〜７のいずれか１項に記載のセミリジットの基板への固定構造を備えた、ローノイズ・ブロックダウン・コンバータ。
【請求項９】
請求項８に記載のローノイズ・ブロックダウン・コンバータを備えたアンテナ装置。
【発明の詳細な説明】
【技術分野】
【０００１】
本発明は、セミリジットの基板への固定構造、ローノイズ・ブロックダウン・コンバータ（"Low Noise Block down-converter" 以下「ＬＮＢ」と記す）およびアンテナ装置に関する。
【背景技術】
【０００２】
セミリジットの芯線とグランドを基板に接着させる際、基板の信号伝達のパターンに芯線を半田付けし、そのパターンから距離を離して基板のグランドパターンを形成し、その上にセミリジットのグランド部分を接着させる。セミリジットのグランドの両端を半田付けすることで基板とセミリジットを接着させ、グランドを取ることができる。このような従来のセミリジッドの基板への固定方法を開示する先行文献として、たとえば次の特許文献１〜４が挙げられる。
【特許文献１】実開昭６３−８７７２２号公報
【特許文献２】特開平２−１０３８７２号公報
【特許文献３】特開平１０−１４５０１４号公報
【特許文献４】特開２００５−２６０２１号公報
【発明の開示】
【発明が解決しようとする課題】
【０００３】
しかしながら、セミリジットが長い場合半田付けの無い箇所が基板から浮き、位置ずれを起こす可能性がある。セミリジットが基板から浮くことはセミリジットを接着させた完成基板の厚みを大きくしてしまう。また半田で接着させた部分にも余分な力がかかり、剥がれを起こしてしまう可能性がある。位置ずれについてはグランドパターンが狭い場合、他のパターンに接触してしまうこともある。
【０００４】
本発明は上記従来の問題点を解消し、セミリジットの基板からの浮きを抑え、位置ずれを無くすることができるセミリジットの基板への固定構造、ＬＮＢおよびアンテナ装置を提供することを目的とする。
【課題を解決するための手段】
【０００５】
上記目的を達成するため、本発明のセミリジットの基板への固定構造は、基板のグランドパターンに対し、セミリジットのグランド両端が半田付けされ、セミリジット中央部が基板との間で挟まれるように銅箔や電波吸収体が貼り付けられたものである。このため、セミリジットの基板からの浮きが抑えられる。また、ガスケットをセミリジットと基板の間に挟むことでセミリジットの位置ずれを防止し、アースを取ることができる。
【０００６】
また、他の固定構造として、基板のグランドパターンに対し、セミリジットのグランド両端が半田付けされ、シャーシの凹所内にセミリジットが位置し、かつ、凹所底と基板との間でセミリジットを挟む状態で、基板がシャーシに固定されたものである。また、凹所底に貼り付けられたガスケット，電波吸収体または板バネと基板との間にセミリジットを挟む。このように、基板を固定するシャーシ側からセミリジットを押さえることで、セミリジットを基板に固定することができる。固定箇所は中央にすることで固定箇所同士の平均距離が小さくなり、固定していない部分の長さを小さくすることができる。
【０００７】
本発明には、前記セミリジットの基板への固定構造を備えたＬＮＢおよびアンテナ装置も含まれる。
【発明の効果】
【０００８】
本発明により、セミリジットの基板からの浮きを抑え、位置ずれを無くすことができたのである。このため、セミリジットと基板の接着部に余分な力がかかるのが防がれ、半田が剥がれが防止できる。また、極力セミリジットグランドの全体を基板のグランドパターンに接触させることでアースの強化にもつながる。
【０００９】
しかも、セミリジットの基板からの浮きを抑え、位置ずれを無くすことで完成基板の厚みを小さくし、基板を置くまたは固定する際のスペースを小さくすることができる。また基板とセミリジットの間に余分な隙間があることでノイズ信号（高調波）の発生させる恐れもあるため、極力その隙間を無くすことでノイズの発生を抑えることができる。電波吸収体を使用して固定する場合、電波吸収体の特性を変えることで除去したい余分な信号成分の周波数帯域を選択することもできる。
【発明を実施するための最良の形態】
【００１０】
以下、本発明の種々の実施形態を、図面に基づいて説明する。
（実施形態１）
まず、図１に基づいて、本発明の実施形態１のセミリジッドの固定構造を説明する。図１（ａ），（ｂ），（ｃ）に示すように、実施形態１においては、固定部３点のうち中央の半田付けの箇所を半田付けせずに、銅箔でセミリジットと基板を接着させている。すなわち、基板のグランドパターン１１に対し、セミリジット１３のグランド１３ｂ両端が半田２１付けされる。セミリジット中央部が基板との間で挟まれるように、銅箔２２が両面接着テープを介して、基板に貼り付けられる。このような構造を有することにより、セミリジット１３の基板１１からの浮きを防止し、かつセミリジット１３の位置ずれを防止することができる。なお、セミリッジトの芯線１３ａに信号パターンが接続されている。
【００１１】
（実施形態２）
次に、図２に基づいて、本発明の実施形態２のセミリジッドの固定構造を説明する。図２（ａ），（ｂ）に示すように、実施形態２においては、固定部３点のうち中央の半田付けの箇所を電波吸収体でセミリジットと基板を接着させている。すなわち、基板のグランドパターン１１に対し、セミリジットのグランド両端が半田付けされる。セミリジット中央部が基板との間で挟まれるように、電波吸収体２３が、面接着テープを介して基板１１に貼り付けられる。電波吸収体はゴム，スポンジなどからなり、厚さは５ｍｍ程度である。
【００１２】
（実施形態３）
次に、図３に基づいて、本発明の実施形態３のセミリジッドの固定構造を説明する。図３（ａ），（ｂ）に示すように、実施形態３においては、セミリジットの中央部と基板との間にガスケットを挟み、セミリジットを固定させている。すなわち、基板のグランドパターン１１に対し、セミリジットのグランド１３ｂ両端が半田２１付けされる。セミリジット中央部でガスケット２４が両面接着テープを介して、基板とセミリジットの間に挟まれ、貼り付けられる。ガスケット２４の材質としては、黒鉛等（導電性）が使用され、厚さは１ｍｍ以下である。ここで、厚みの薄いガスケットを挟むのであるが、ガスケットとセミリジット、基板とガスケットは接着されるので、結果的に、セミリジッドは、ガスケットの厚み以上は基板から離れないようになる。
【００１３】
（実施形態４）
次に、図４に基づいて、本発明の実施形態４のセミリジッドの固定構造を説明する。図４に示すように、実施形態４においては、シャーシと基板でセミリジットを挟むように固定させている。すなわち、基板１１のグランドパターンに対し、図１に示した実施形態１
の場合と同様に、セミリジット１３のグランド１３ｂ両端が半田２１付けされる。シャーシ１２の凹所内にセミリジット１３が位置し、かつ図１、凹所底と基板との間でセミリジット１３を挟む状態で、基板１１がシャーシ１２に固定される。
【００１４】
（実施形態５）
次に、図５に基づいて、本発明の実施形態５のセミリジッドの固定構造を説明する。図５に示すように、実施形態５においては、シャーシ側にあらかじめガスケットを貼付し、そのガスケットと基板でセミリジットを挟むように固定させる構造である。すなわち、基板のグランドパターン１１に対し、図１に示した実施形態１の場合と同様に、セミリジットのグランド１３ｂ両端が半田２１付けされる。シャーシ１２の凹所内にセミリジット１３が位置し、かつ、凹所底に両面接着テープで貼り付けられたガスケット（導電性クッション）２４と基板１１との間でセミリジットを挟む状態で、基板１１がシャーシに固定される。この場合のガスケットは厚さ１ｃｍ程度のものでも使用できる。
【００１５】
このように、シャーシにガスケット（導電性クッション）を貼り付け、それによりセミリジットの中央を固定し、セミリジットの基板からの浮きを防止し、かつセミリジットの位置ずれを防止する。
【００１６】
（実施形態６）
次に、図６に基づいて、本発明の実施形態６のセミリジッドの固定構造を説明する。図６に示すように、実施形態６においては、シャーシ側にあらかじめ電波吸収体を貼付し、その電波吸収体と基板でセミリジットを挟むように固定させている。すなわち、基板１１のグランドパターンに対し、セミリジット１３のグランド１３ｂ両端が半田付けされ、シャーシ１２の凹所内にセミリジット１３が位置し、かつ、凹所底に貼り付けられた電波吸収体２３と基板１１との間でセミリジットを挟む状態で、基板１１がシャーシ１２に固定される。
【００１７】
このようにして、シャーシに電波吸収体を貼り付け、それによりセミリジットの中央を固定し、セミリジットの基板からの浮きを防止し、かつセミリジットの位置ずれを防止する。
【００１８】
（実施形態７）
次に、図７に基づいて、本発明の実施形態７のセミリジッドの固定構造を説明する。図７に示すように、実施形態７においては、シャーシ側にあらかじめ板金バネを取り付け、その板金バネと基板でセミリジットを挟むように固定させている。すなわち、上記と同様に、基板１１のグランドパターンに対し、セミリジットのグランド両端が半田付けされ、シャーシの凹所内にセミリジットが位置し、かつ、凹所底に固定された板バネと基板との間でセミリジットを挟む状態で、基板１１がシャーシ１２に固定される。
【００１９】
このように、シャーシに板金製のバネを付け、それによりセミリジットの中央を固定し、セミリジットの基板からの浮きを防止し、かつセミリジットの位置ずれを防止する。
【００２０】
図８において、前記セミリジットの基板への固定構造を備えたＬＮＢおよびアンテナ装置が示される。パラボラアンテナによる衛星放送の受信は、アンテナ部１で反射された信号が一次放射器２の開口部に集約されるようになっている。そして一次放射器２を通過した信号はＬＮＢ３により周波数変換され、この周波数変換された信号がケーブル４を通って屋内受信機チューナ５，またはＴＶ６に入力されるようになっている。
【００２１】
今回開示された実施の形態および実施例はすべての点で例示であって制限的なものではないと考えられるべきである。本発明の範囲は上記した説明ではなくて特許請求の範囲に
よって示され、特許請求の範囲と均等の意味および範囲内でのすべての変更が含まれることが意図される。
【産業上の利用可能性】
【００２２】
本発明は、セミリジットの基板への固定構造、ＬＮＢおよびアンテナ装置に利用される。
【図面の簡単な説明】
【００２３】
【図１】本発明の実施形態１におけるセミリジッドの固定構造を示す図であり、（ａ）はセミリジットを基板のグランドパターンに固定させる際、銅箔の添付で固定させた状態の平面図、（ｂ）はそのＩＢ−ＩＢ線断面図、（ｃ）はそのＩＣ−ＩＣ線断面図である。
【図２】本発明の実施形態２におけるセミリジッドの固定構造を示す図であり、（ａ）は図１の銅箔を電波吸収体に置き換えた平面図、（ｂ）はそのIIＢ−IIＢ線断面図である。
【図３】本発明の実施形態３におけるセミリジッドの固定構造を示す図であり、（ａ）は、基板とセミリッジトの間にガスケットを挟み込み固定させる構造を示した平面図、（ｂ）はそのIIIＢ−IIIＢ断面図である。
【図４】本発明の実施形態４におけるセミリジッドの固定構造を示す図であって、基板とシャーシでセミリジットを挟み込み固定させる構造を示した断面図である。
【図５】本発明の実施形態５におけるセミリジッドの固定構造を示す図であって、基板とシャーシに貼付したガスケットでセミリジットを挟み込み固定させる構造を示した断面図である。
【図６】本発明の実施形態６におけるセミリジッドの固定構造を示す図であって、図５のガスケットを電波吸収体に置き換えた断面図である。
【図７】本発明の実施形態７におけるセミリジッドの固定構造を示す図であって、図５のガスケットを板金バネに置き換えた断面図である。
【図８】本発明の上記各実施形態におけるセミリジッドの固定構造を用いたＬＮＢおよびアンテナ装置の系統図である。
【符号の説明】
【００２４】
１  アンテナ、２  一次放射器、３  ＬＮＢ、４  ケーブル、５  チューナ、６  ＴＶ、１１  基板（グランドパターン）、１２  シャーシ、１３  セミリジット、１３ａ  芯線、１３ｂ  グランド、１４  信号パターン、２１  半田、２２  銅箔、２３  電波吸収体、２４  ガスケット、２５  バネ。
【図１】
2009093867.tif 000003
【図２】
2009093867.tif 000004
【図３】
2009093867.tif 000005
【図４】
2009093867.tif 000006
【図５】
2009093867.tif 000007
【図６】
2009093867.tif 000008
【図７】
2009093867.tif 000009
【図８】
2009093867.tif 000010